(57)【要約】【課題】ゴミ袋本体に、容易に取外し可能な紐部を備え、ゴミ袋の開口部を縛る紐を用意する必要が無く、かつ袋本体から取外した紐部を紐として使用することによって、ゴミ袋の容量いっぱいにまでゴミを収容しても、ゴミ袋の開口部を簡単に、かつ強く閉じることができる紐付き袋の提供を課題とする。【解決手段】  筒状の合成樹脂フィルムの開口している一端部において、開口部を閉じ、底部を形成した袋本体と、該底部の縁部に沿って溶着している細長い１片の紐部からなる紐付き袋であって、該紐部と該袋本体は、溶着部分を残して熱溶断（分割）されており、かつ該溶着部分は、合成樹脂フィルムの厚さが、該紐部及び該袋本体と比べて薄く、該袋本体から該紐部が容易に取外せることを特徴とする紐付き袋。【選択図】図１
2005214499.tif 000002
【特許請求の範囲】
【請求項１】
温風を集め所望の場所に送るための温風給送器であって、
広口の温風流入口と、その反対側に細口の温風送出口を有し、かつ、フードの内径が温風流入口側から温風送出口側にかけて縮小している温風集めフードと、
一端側において、前記温風送出口を介してフード内部と連通するように前記温風集めフードと接続された可撓性のある温風送りホースとからなり、
前記温風集めフードの内周面は、流入し集められた温風が前記温風送りホースの他端側の温風吐出口より所要の流量にて流れ出るような三次元湾曲面を形成してなることを特徴とする温風給送器。
【発明の詳細な説明】
【技術分野】
【０００１】
本発明は、ファンヒーター等の吹出し口から吹出される温風を、所望の場所に給送するために使用される温風給送器に関する。
【背景技術】
【０００２】
従来冬季に、部屋を暖房する場合には、温風ファンヒーター等の吹出し口から温風が吹出される温風暖房装置が多用されている。
【発明の開示】
【発明が解決しようとする課題】
【０００３】
しかしながら、このような温風暖房装置では、吹出し口付近は温風で直接暖められるが、それ以外の温風の吹出し方向とは別の方向にある場所や吹出し口から離れた場所等は温風で直接暖めることはできないという問題点があった。更に、このような温風暖房装置では、部屋の中の布団で覆われたコタツの中まで暖めることができないので、そのようなコタツの中を暖める場合には、別途コタツに通電する必要がある。そのため、コタツの中まで暖める場合には、ファンヒーターの暖房費（電気代）以外に、コタツの暖房費（電気代）もかかるため、暖房費が嵩み、経済的ではないという問題点があった。
【０００４】
本発明は、係る従来の事情を考慮してなされたものであって、その課題とするところは、ファンヒーター等の吹出し口から吹出される温風を、所望の場所、例えば、吹出し方向とは別の方向にある場所、吹出し口から離れた場所、又は布団で覆われたコタツの中等に給送することができ、それによって、上記のような、通常、ファンヒーター等の温風で暖められない場所を暖めることができ、更に、効率的な温風暖房を達成でき、暖房費を節約できる経済的な温風給送器の提供にある。
【課題を解決するための手段】
【０００５】
本発明は、前記課題を解決するために、工夫されたものであって、より詳しくは、温風（本明細書において、流れている温まった空気のことを指す）を集め所望の場所に送るための温風給送器であって、
広口の温風流入口と、その反対側に細口の温風送出口を有し、かつ、フードの内径が温風流入口側から温風送出口側にかけて縮小している温風集めフードと、
一端側において、前記温風送出口を介してフード内部と連通するように前記温風集めフードと接続された可撓性のある温風送りホースとからなり、
前記温風集めフードの内周面は、流入し集められた温風が前記温風送りホースの他端側の温風吐出口より所要の流量にて流れ出るような三次元湾曲面を形成してなることを特徴とする温風給送器に関する。
【０００６】
本発明の温風給送器は、温風集めフードに温風送りホースが接続されたものである。温風集めフードは、温風流入口を広口に、その反対側の温風送出口を温風流入口より細口にし、かつフードの内径を、温風流入口側から温風送出口側にかけて縮小するよう形成したので、これを例えば、ファンヒーターの前に置いたとき、その吹出し口から吹出された温風を、温風流入口から温風集めフード内に多量に流入させ集めることができる。
また、温風集めフードの温風送出口に可撓性のある温風送りホースの一端側を接続したので、温風集めフードによって集められた温風を温風送りホースに通して送り、そのホースの他端側の温風吐出口より外部に吐出させることにより、集められた温風をファンヒーター等から離れた所望の場所に給送することができる。
更に、温風集めフードの内周面に、連続的に滑らかに湾曲した三次元曲面を形成したの
で、温風集めフード内に集められた温風は、フード内に滞留せずに、温風送りホース内に流れる。そのため、温風集めフード内に集められた温風を、前記温風送りホースの他端側の温風吐出口より所要の流量にて流すことができる。
【発明の効果】
【０００７】
このような構成により、ファンヒーター等の吹出し口の前に、温風集めフードの温風流入口を向けて、本発明の温風給送器を配置し、更に、温風送りホースの温風吐出口を所望の場所に配置すると、ファンヒーター等の吹出し口から吹出された温風を、所望の場所に給送することができる。従って、本発明によれば、通常、ファンヒーター等の温風で時間がかかってなかなか暖められない場所（例えば、吹出し方向とは別の方向にある場所、吹出し口から離れた場所、布団に覆われたコタツの中等）を暖めることができるという効果が得られる。更に効率的な温風暖房を達成でき、暖房費を節約できるという効果が得られる。
【発明を実施するための最良の形態】
【０００８】
以下、本発明の実施の形態を図面を参照してより具体的に説明する。
【０００９】
図1及び図２に示すように本発明の温風給送器１は、温風集めフード２に温風送りホース１２を接続し、更に円筒状のリング１６によって、温風集めフード２と温風送りホース１２を固定したものである。
【００１０】
温風集めフード２は、温風流入口３を大きい略方形にし、そしてその反対側の温風送出口４を温風流入口３より細い円筒状に形成し、かつフードの内径６が、温風流入口３側から温風送出口４側にかけて縮小した絞り形状となるように形成されている。
更に、温風集めフード２の内周面７は、三次元湾曲面、即ち、連続した湾曲面を形成している。具体的には、本発明の温風集めフード２の内周面７には、稜がなく、温風流入口３から温風送出口４に向かい滑らかに湾曲しながら縮小した絞り形状をしている。
また、温風集めフード２の温風送出口４は、温風集めフード２と温風送りホース１２を接続するために、その内面の一部が、温風送りホース１２に対応する形状で螺子切りされており、かつ、係止接続部８を備えている。係止接続部８は、温風送出口４と同じ大きさのフランジ９と温風送出口４より細口の円筒からなり、その円筒の外周面１１には、凸部１０が形成されている。この温風送出口４に、備えた係止接続部８を介して、温風送りホース１２と温風集めフード２の内部６は連通するように接続される（図３参照）。
【００１１】
温風送りホース１２は、螺旋管であるので、可撓性があり、屈曲自在である。更に、温風送りホース１２は、その一端側１３を温風集めフード２に接続した場合でも、その他端側１４の温風吐出口１５をファンヒーターからある程度離れた場所に配置したり、コタツの内部に引込んだりできるよう適当な長さを有している。
【００１２】
また、円筒状のリング１６は、その内周面を温風送りホース１２に対応する形状で螺子切りされており、温風送りホース１２に螺合される。
【００１３】
図３に、温風送りホース１２が温風集めフード２に接続され、更にリング１６によって温風集めフード２と温風送りホース１２が固定されている状態の本発明の温風給送器１の断面図（図１のａ−ａ’断面図）を示す。温風集めフード２と温風送りホース１２は、温風送りホース１２の螺旋溝を、温風集めフード２の温風送出口４の内側の螺子切り面に螺合していき、そして、その螺旋溝が係止接続部８の凸部１０に係止するまで続ける。更に、リング１６を、温風集めフード２と当接するまで温風送りホース１２に螺合することによって、固定される。上述の構成により、温風送りホース１２は、引張られたとしても反対に押されたとしても温風集めフード２から外れにくい。
【００１４】
本発明は上述のように構成したので、ファンヒーター等の吹出し口の前に、温風集めフード２の温風流入口３を向けて、本発明の温風給送器１を配置し、更に、温風送りホース１２の温風吐出口１５を所望の場所に配置すると、温風は、温風集めフード２の温風流入口３から温風送出口４そして温風送りホース１２の一端側１３から他端側１４へと滞留せずに流れ、そして、温風吐出口１５から所望の場所へと吐出される。
この場合、本発明の温風給送器１は、温風集めフード２の内周面７に、稜がなく、温風流入口３から温風送出口４に向かい滑らかに湾曲しながら縮小した絞り形状（三次元湾曲面）をしているので、温風フード２内に集められた温風は、効率良く温風送りホース１２へと導入され、温風吐出口１５より所要の流量にて流れる。
更に温風送りホース１２は、螺旋管であり、屈曲自在なので、温風集めフード２に集められた温風を、所望の場所に送り、その場所を暖めることができる。更に、温風を、ファンヒーター等の温風で時間がかかってなかなか暖められない場所に送ることによって、効率的な温風暖房を達成でき、暖房費を節約することができる。
【００１５】
本発明の温風給送器の使用例を以下に示す。
図４に示すように、ファンヒーター１７の吹出し口１８の前に、温風集めフード２の温風流入口３を向けて、本発明の温風給送器１を配置し、更に、温風送りホース１２の温風吐出口１５をテーブル１９の下に配置すると、ファンヒーター１７の吹出し口１８から吹出された温風は、温風集めフード２によって集められ、そして温風送りホース１２によってテーブル１９の下に送られ、通常、ファンヒーター１７の運転開始から短時間で暖められないテーブル１９の下を暖めることができる。
また、図５に示すように、ファンヒーター１７の吹出し口１８の前に、温風集めフード２の温風流入口３を向けて、本発明の温風給送器１を配置し、更に、温風送りホース１２の温風吐出口１５をコタツ２０の中に配置すると、ファンヒーター１７の吹出し口１８から吹出された温風で、コタツ２０に通電しなくとも、コタツ２０の中を暖めることができ、コタツ２０分の暖房費（電気代）を節約することができる。
【図面の簡単な説明】
【００１６】
【図１】本発明の温風給送器を前方から見た斜視図である。
【図２】図１の温風給送器を後方から見た斜視図である。
【図３】図１の温風給送器のａ−ａ’線における断面図である。
【図４】本発明の温風給送器の一使用例を示す斜視図である。
【図５】本発明の温風給送器の他の使用例を示す斜視図である。
【符号の説明】
【００１７】
１．温風給送器  ２．温風集めフード  ３．温風流入口  ４．温風送出口  ５．内径  ６．フード内部  ７．内周面  ８．係止接続部  ９．フランジ  １０．凸部  １１．外周面  １２．温風送りホース  １３．一端側  １４．他端側  １５．温風吐出口  １６．リング  １７．ファンヒーター  １８．吹出し口  １９．テーブル  ２０．コタツ
【図１】
2005214499.tif 000003
【図２】
2005214499.tif 000004
【図３】
2005214499.tif 000005
【図４】
2005214499.tif 000006
【図５】
2005214499.tif 000007